(57)【要約】【課題】被写体となる人から自分が撮像範囲にあるかどうかを容易に判断できる撮像装置を提供する。【解決手段】撮像装置のレンズ側に発光体を設け、カメラの画角と同じ範囲にその光が広がるように構成し、被写体から光が見えるか、見えないかにより被写体自身が撮像装置の撮影範囲にいるか否かを確認できる。【選択図】図１
2008281903.tif 000002
【特許請求の範囲】
【請求項１】
撮像装置において、レンズ部の近傍に狭幅の溝を有し、前記溝の溝底面に周囲の部材色と異なる色を配することを特徴とする撮像装置。
【請求項２】
請求項１に記載の撮像装置において、前記溝の溝底面に配色された色が見えなくなる角度を、撮像装置のレンズの画角に等しいか、やや狭い範囲となるようにしたことを特徴とする撮像装置。
【請求項３】
請求項１または２に記載の撮像装置において、前記溝の溝底面に発光できる発光手段を有することを特徴とする撮像装置。
【請求項４】
請求項３に記載の撮像装置において、撮影ボタンと前記発光手段とを連動して制御する発光制御手段を有することを特徴とする撮像装置。
【請求項５】
請求項１乃至４のいずれかに記載の撮像装置において、前記溝の深さ、幅を調整できる調節手段を有することを特徴とする撮像装置。
【請求項６】
請求項５に記載の撮像装置において、前記調節手段と、撮像装置の光学系の画角の調整手段とを連動させて動作する連動手段を有することを特徴とする撮像装置。
【発明の詳細な説明】
【技術分野】
【０００１】
本発明は、静止画、動画などの画像を撮像する撮像装置に関する。
【背景技術】
【０００２】
近年、携帯電話など常時携行する電子機器にカメラ機能が付加され普及したことにより、どこでも気軽に撮像することが可能となった。
また、リモコン操作などにより、撮影者自らが被写体となることも可能となっている。しかしながら、撮影者自らが被写体となったとき、カメラの撮像範囲に収まっているか、否かということを判別することは困難であった。
【０００３】
特許文献１においては、被写体となる人物がもつリモコンの信号のカメラに対する入射角から、撮影者自らが撮像範囲にいるのか否かを判断している。
【特許文献１】特開平３−９８０３３号公報
【発明の開示】
【発明が解決しようとする課題】
【０００４】
しかしながら、特許文献１の方法では、撮影者が撮像範囲の画角ぎりぎりの位置にいる場合、自分が撮影範囲内にいるのか否かを直感的に知ることができず、リモコンを持つ位置によっては自分の体の一部分しか撮像されない場合がでてくる。
【０００５】
本発明は、上述の実情を考慮してなされたものであって、被写体となる人から自分が撮像範囲にあるかどうかを容易に判断できる撮像装置を提供することを目的する。
【課題を解決するための手段】
【０００６】
上記の課題を解決するために、本発明に係る撮像装置は、次のような構成とする。
この撮像装置は、動画や静止画を撮像する撮像装置であって、レンズ部の近傍に狭幅の溝を有し、前記溝の溝底面に周囲の部材色と異なる色を配するようにし、斜めから見たときに、溝の溝底面に配色された色が見えなくなる角度が、撮像装置のレンズの画角に等しいか、やや狭い範囲となるようにした。
上記の構成により、被写体となる人物は、撮像装置をレンズ側から見たときにレンズ近傍の狭幅の溝の溝底面に配色された色（例えば黄色）を認識できたときに、撮影範囲にいることが分かる。
【０００７】
また、前記溝の溝底面に発光手段を有するようにしてもよい、さらに、撮影ボタンと前記発光手段とを連動して制御する発光制御手段を有するようにしてもよい。
上記の構成により、被写体から見たときに、より認識度が高くなるとともに、この発光手段を撮像時の照明(補助光)として使用することにより、被写体への照明を新たに用意する必要が無くなる。
【０００８】
また、溝の深さ、幅を調整できる調節手段を有するものとしてもよく、さらに、この調節手段と、撮像装置の光学系の画角の調整手段とを連動させて動作する連動手段を有するものとしてもよい。
上記の構成により、撮像装置の画角が変わったときに、溝の深さ、あるいはその幅を調節することにより、被写体から認識できる範囲をレンズの画角に合わせて調節できる、また、撮像装置のレンズが倍率可変式であった場合でも、その倍率に連動して動作させることにより、常にレンズの画角と被写体から認識できる範囲を一致させることができる。
【発明の効果】
【０００９】
本発明によれば、被写体となる人から自分が撮像範囲にあるかどうかを容易に判断することができる。
【発明を実施するための最良の形態】
【００１０】
以下、図面を参照して本発明の撮像装置に係る好適な実施形態について説明する。
＜撮像装置の詳細＞
図１は、本実施形態に係る撮像装置の図である。図１に示すように、撮像装置１のレンズ２の左右には溝３を設けている。
被写体となった人物は、自身で、この溝３のいずれかが認識できる場合、自身が被写体として撮像可能な範囲にいるということが認識できる。
【００１１】
次に、図２を用いて原理を説明する。図２の上段は、図１の撮像装置を真上から見た図であり、図１をレンズ２の光軸方向に並行な面で分断した断面図である。図２の下段は、撮像装置１を正面から見た図である。
【００１２】
図２において、レンズ２の両脇にあるのが溝３で、溝３の溝底面４は周囲の部材と異なる色（例えば、黄色）で配色される。このため、撮像装置１を正面から見たとき、図２下段（Ａ）のようにレンズ２の左右に、周囲の部材と異なる色（例えば、黄色）の縦筋が１本ずつ入っているように見える。
【００１３】
また、この溝３の側面の配色は、撮像装置１の筐体と同色とし、撮像装置１の正面から左右いずれかに少しずれた位置から被写体５が撮像装置１を見ると、図２下段（Ｂ）(この図では、撮像装置１に向かって左にずれた場合)のように、レンズ２の左右に見えていた縦筋(溝３の溝底面４の色（例えば、黄色）)が正面から見ていたときよりも細く見え、溝３の側面の色が見えるようになる。
【００１４】
さらに、被写体５が左方向にずれた位置からこの撮像装置１を見ると、図２下段（Ｃ）(この図では、撮像装置１に向かってさらに左にずれた場合)のように、溝３の側面の色のみとなり、この色は撮像装置１の筐体と同色であるため、レンズ２の左右に見えていた縦筋が消えたように見える。
【００１５】
このように、この溝３の溝底面４の見える限界点と撮像装置の画角とを等しいか、あるいは、やや狭くすることにより、被写体として自分が撮像装置の前にいるとき、この溝底面４の見え方により、自分が撮像装置の撮影範囲内に収まっているか否かを判断することができる。この場合、両方の溝底面４が同時に見える必要はなく、いずれか一方の溝底面４が見えるだけでも構わない。
以下の説明では、溝３および溝底面４からなる部分を画角認識部と総称する。
【００１６】
また、撮像装置による撮影時に、撮像装置を縦方向に回転させて使用する場合もあるため、図３のように、撮像装置１のレンズ２の左右のみならず、上下にも、本画角認識部を配置すれば同様の効果が得られる。
【００１７】
次に、他の実施形態に係る撮像装置について説明する。
本発明では、画角認識部が被写体から見えるか否かかが、被写体が撮像装置の撮影範囲内にあるのか否かを判別する重要な要素となっているため、図４（Ａ）のように画角認識部の溝底面４に塗料を塗布したり、図４（Ｂ）のように溝底面４に発光体６を具備させるようにしてもよい。
【００１８】
発光体６としては、周囲の明かりを蓄積し発光する、蓄光塗料でもよいし、鏡のような光を反射する反射材を貼り付けたり、塗布したもの、あるいは、ＬＥＤ（Light Emitting Diode）など電気的な構成により発光するものであってもよい。
【００１９】
図４（Ｃ）は、発光体の制御を行う回路の一例である。発光体６として３つの高輝度ＬＥＤ６１、６２、６３を用いて、発光制御部（発光制御手段）では発光体６のいずれを発光させるかを制御する。例えば、撮像時に被写体に対して撮像範囲を認識させるためには発光体６１のみを点灯し、撮像時、シャッターが押されたり、動画撮影ボタンが押されたりしたときには、補助光として残りの発光体６２、６３も同時に点灯させることにより、必要な明るさを確保することができる。
これにより、特に、夜間や暗所などにおいて、被写体からの認識を高めたり、撮影時の照明（補助光）としての効果がある。
【００２０】
次に、他の実施形態に係る撮像装置について説明する。この実施形態は、画角認識部の幅あるいは深さを調整可能なように可変にするものである。
図５は、溝幅調整部７として左右に可動する板がレンズ２の左右に取り付けてあり、手動、もしくは自動で可動する。この溝幅調整部７を左右に動かすことにより、画角認識部の幅を広く、あるいは狭くすることができるので、レンズ２の画角に対応した調整を行うことができる。
【００２１】
また、図６は、溝深さ調整部８として筐体の表面に対して上下に可動する板が溝の左右に取り付けてあり、画角認識部の溝底面４の位置を筐体の外側(外部に面している側)に対して、浅く、あるいは、深くに可変することで調整を行うことによって、レンズ２の画角に対応した調整を行うことができる。
【００２２】
例えば、画角の広いレンズを使用する場合、図５の場合では、画角認識部の溝の幅を広くする。図６の場合では、溝深さ調整部８の溝底面の深さを浅くする(撮像装置のキャビネットのオモテ面に近くする)、といった調整により、レンズの画角に対応することができる。
【００２３】
これらの設定位置は、レンズの種類によりあらかじめ決められているものとし、１眼レフカメラのようにレンズの脱着の際に、撮像装置側でレンズの種類を認識し、自動で変更する。あるいは、ユーザがカメラのレンズを交換した際に手動で変更を行う。
【００２４】
図７は、その一例である。レンズ着脱可能な撮像装置９用の交換用レンズ１０には、溝幅調整用爪１３がついており、交換用レンズ１０を撮像装置９の筐体に勘合させ、回転させて固定する際に、この溝幅調整用爪１３により溝幅調整板１１が可動する。
【００２５】
図７（Ａ）のように、通常レンズがない場合は、ばね等によりレンズ取り付け側に引っ張られているこの溝幅調整板１１は、図７（Ｂ）のように、溝幅調整用爪１３におされて溝１２の幅を狭くする方向に移動する。この移動幅、つまり、溝幅調整用爪１３の大きさをレンズそれぞれに特有の画角に対応させることにより、図７（Ｃ）のようにレンズ毎の調整が瞬時に行われる。
【００２６】
また、図８のように交換用レンズに倍率(画角)記録部１４を、また、撮像装置９に倍率(画角)読み取り部１５を設け、機械的、あるいは電気的に倍率を読み取り、その倍率に応じ画角認識部の溝の幅、あるいは発光部の位置をモータなどの可動手段により調整するという方法も考えられる。レンズのズーム倍率に連動する方法は、様々あり、特に手段を限定するものではない。
【００２７】
次に、他の実施形態に係る撮像装置について説明する。図９は、倍率が可変となるレンズ、いわゆるズームレンズの倍率、画角に連動する画角認識部の機構動作の説明の一例である。図９にあるように、レンズ２０が鏡筒部２１をＡからＢに移動すると、ズーム倍率が高くなり、撮像範囲の画角が狭まる。このとき、中継軸１６を介して画角認識部の発光部１７がＣからＤに移動する。発光部１７が溝の深い位置にあることで、被写体が認識できる範囲が画角Ｂ１９から画角Ａ１８のように狭まる。
【００２８】
このように、ズームレンズの倍率が変わる場合でも、被写体から見える画角認識部を連動して可変することにより、倍率に応じた認識範囲を設定できる。
また、このような機械的な手段だけでなく、ズームレンズの倍率を電気的に検知し、発光部１７の位置を同様にモータなどにより制御することにより連動する方法であってもよい。
【産業上の利用可能性】
【００２９】
本発明は、一般的に使用されている動画、静止画の撮像装置に広く利用できる。
【図面の簡単な説明】
【００３０】
【図１】本実施形態に係る撮像装置である。
【図２】本発明の原理を説明するための図である。
【図３】本発明の画角認識部の他の例の説明するための図である。
【図４】本発明の画角認識部の他の例（発光部）の説明するための図である。
【図５】本発明の画角認識部の調整部分を説明するための図である。
【図６】本発明の画角認識部の調整部分を説明するための図である。
【図７】本発明の一例を説明するための図で、（Ａ）はその外形を、（Ｂ）は交換用レンズ１０を勘合させたときの図を、（Ｃ）はレンズを筐体に固定し、溝幅調整用爪１３が溝幅調整板１１を可動させている様子を示すものである。
【図８】本発明の一例を説明するための図で、交換用レンズに倍率(画角)記録部を、また、撮像装置に倍率(画角)読み取り部を設けた場合である。
【図９】ズームレンズの倍率、画角に連動する画角認識部の機構動作を説明するための図である。
【符号の説明】
【００３１】
１…撮像装置、２…レンズ、３…溝、４…溝底面、５…被写体、６，６１，６２，６３…発光部（高輝度ＬＥＤ）、７…溝幅調整部、８…溝深さ調整部、９…撮像装置、１０…交換用レンズ、１１…溝幅調整板、１２…溝、１３…溝幅調整用爪、１４…倍率(画角)記録部、１５…倍率(画角)読み取り部、１６…中継軸、１７…発光部、１８…画角Ａ、１９…画角Ｂ、２０…レンズ、２１…鏡筒部、２２…発光制御部。
【図１】
2008281903.tif 000003
【図２】
2008281903.tif 000004
【図３】
2008281903.tif 000005
【図４】
2008281903.tif 000006
【図５】
2008281903.tif 000007
【図６】
2008281903.tif 000008
【図７】
2008281903.tif 000009
【図８】
2008281903.tif 000010
【図９】
2008281903.tif 000011